(57)【要約】【課題】ハンドル部及び／またはブラシが本体から分離可能で、広い領域だけでなく、自由な移動及び狭い領域の掃除を可能にするアップライト型およびキャニスタ型兼用の多機能真空掃除機が開示される。【解決手段】前記多機能真空掃除機は、集塵部及び駆動部を含む本体と、前記本体の上部と分離可能に連結されるハンドル部と、前記本体を支持し、本体から分離可能なブラシと、を備える。【選択図】図２
2008534116.tif 000002
【特許請求の範囲】
【請求項１】
集塵部及び駆動部を含む本体と、
前記本体と分離可能に連結されるハンドル部と、
前記本体と分離可能に結合され、結合時に前記本体を支持し、異物質を吸入するブラシと、を含むことを特徴とする多機能真空掃除機。
【請求項２】
前記本体は、ホースと連結される第１連結部、及び前記ハンドル部が挿入される第２連結部を含むことを特徴とする請求項１に記載の多機能真空掃除機。
【請求項３】
前記第１連結部は、一端が前記ホースと連結されるように突出形成され、他端が前記集塵部と連結されることを特徴とする請求項２に記載の多機能真空掃除機。
【請求項４】
前記第２連結部は、前記ハンドル部が挿入されるように、所定深さを有するホール状に形成されることを特徴とする請求項２に記載の多機能真空掃除機。
【請求項５】
前記本体が前記ブラシから分離された場合、前記本体の移動を容易にするように、前記本体の下端両側部に装着される車輪をさらに含むことを特徴とする請求項２に記載の多機能真空掃除機。
【請求項６】
前記ハンドル部は、使用者が把持するハンドルを含み、前記本体から分離される場合に前記ホースと連結される第４連結部を含むことを特徴とする請求項２に記載の多機能真空掃除機。
【請求項７】
前記ハンドル部は、ハンドルの長さを調節するための調節部を含むことを特徴とする請求項２に記載の多機能真空掃除機。
【請求項８】
前記ハンドル部は、前記本体から分離される場合、一端が前記本体と連結された前記ホースと連結され、他端が吸入装置と連結されることを特徴とする請求項２に記載の多機能真空掃除機。
【請求項９】
前記ブラシは、上下に分割されるベース及びカバーで構成されることを特徴とする請求項２に記載の多機能真空掃除機。
【請求項１０】
前記ブラシは、前記本体と連結された前記ホースの他端と連結される第３連結部を含むことを特徴とする請求項２に記載の多機能真空掃除機。
【請求項１１】
前記第３連結部は、一端が前記ホースと連結されるように前記ブラシの一側から延長され、他端が前記ブラシ下部の吸入口と連結されることを特徴とする請求項１０に記載の多機能真空掃除機。
【請求項１２】
前記ブラシは、自由な移動のために後端両側に装着された車輪を含むことを特徴とする請求項２に記載の多機能真空掃除機。
【請求項１３】
前記ブラシには、前記本体が結合される場合に前記本体が安着される安着部が備えられることを特徴とする請求項２に記載の多機能真空掃除機。
【請求項１４】
前記ブラシは、前記本体から分離される場合、前記本体と連結された前記ホースの他端から分離されることを特徴とする請求項２に記載の多機能真空掃除機。
【請求項１５】
集塵部及び駆動部を含み、ホースが連結される第１連結部及びハンドル部が挿入される第２連結部を含む本体と、
前記本体の第２連結部に着脱可能で、使用者が把持するハンドル及び前記本体と連結される前記ホースの他端と連結可能な第４連結部を含む前記ハンドル部と、
前記本体と連結された前記ホースの他端と連結される第３連結部を含み、自由な移動のために後端両側に車輪が装着されたブラシと、を含むことを特徴とする多機能真空掃除機。
【請求項１６】
前記本体が前記ブラシから分離された場合、前記本体の移動を容易にするように、前記本体の下端両側部に装着される車輪を含むことを特徴とする請求項１５に記載の多機能真空掃除機。
【請求項１７】
前記ハンドル部が前記本体から分離され、前記ブラシの前記第３連結部から前記ホースが分離される場合、前記第３連結部から分離された前記ホースの他端と第４連結部が連結されることを特徴とする請求項１５に記載の多機能真空掃除機。
【請求項１８】
前記ハンドル部は、長さを調節するための調節部をさらに含むことを特徴とする請求項１５に記載の多機能真空掃除機。
【請求項１９】
前記ブラシには、前記本体が結合される場合に前記本体が安着される安着部が備えられることを特徴とする請求項１５に記載の多機能真空掃除機。
【請求項２０】
前記ブラシの前記第３連結部は、一端が前記ブラシの一側から延長され、他端が前記ブラシ下部の吸入口と連結されることを特徴とする請求項１５に記載の多機能真空掃除機。
【発明の詳細な説明】
【技術分野】
【０００１】
本発明は、多機能真空掃除機に関し、より詳細には、キャニスタ型及びアップライト型兼用で使用可能な多機能真空掃除機に関する。
【背景技術】
【０００２】
真空掃除機は、本体に内蔵されるモータの駆動により発生する吸入力を用いて塵などの異物質を含んだ空気を吸入して、この異物質を集塵ボックスに集塵するとともに、異物質の除去された空気を再び外部に排出して、掃除を行う装置である。真空掃除機は、キャニスタ型（ｃａｎｉｓｔｅｒ  ｔｙｐｅ）、アップライト型（ｕｐｒｉｇｈｔ  ｔｙｐｅ）、トラム型（ｄｒｕｍ  ｔｙｐｅ）、ハンディ型（ｈａｎｄｙ  ｔｙｐｅ）などに大別される。
【０００３】
キャニスタ型真空掃除機は、集塵部及び駆動部を含み、車輪を備えて自由な移動が可能である。そして、本体の集塵部に複数の連結管が連結され、前記連結管には長い延長管が連結されており、掃除範囲を調節することができる。また、前記延長管の末端には多様な形態の吸入装置が連結されており、用途及び場所に応じて吸入装置を変えてして使用することができる。
【０００４】
キャニスタ型真空掃除機によれば、モータの駆動により発生する吸入力を用いて、異物質の含まれている空気を吸入装置、延長管及び連結管を通して集塵部に吸入した後、集塵室に収容されている塵袋に集塵される。
【０００５】
前記キャニスタ型真空掃除機は、本体と吸入装置を連結する延長管により掃除機構の移動及び交換が容易で、狭い領域でも簡単に掃除を行うことができるという長所を有する。しかし、連結管を介して連結されている本体、延長管及び吸入装置を同時に移動させるのが困難で、広い領域を掃除する場合には効率が低下し、延長管が長くて保管時にかさばるという問題がある。
【０００６】
図１は、従来技術のアップライト型多機能真空掃除機の正面斜視図であり、下記の問題点を有する。同図に示すように、従来のアップライト型真空掃除機は、集塵部と駆動部を備える本体１００と、本体１００の上端に連結されるハンドル１１０と、本体１００の下端に連結され、異物質を吸入するブラシ１２０と、本体１００を容易に移動させるためにブラシ１２０に装着される車輪１３０とで構成される。
【０００７】
前記アップライト真空掃除機は、使用者が本体１００の上端に連結されたハンドル１１０を把持して本体１００を移動させることが可能で、広い領域を簡単に掃除できるという長所がある。しかし、本体１００を支持するブラシ１２０が占める空間のせいで、狭い領域や隅の領域を掃除する場合には、使用が不便で異物質を除去できないなどの問題点がある。さらに、本体１００及びブラシ１２０の重さによりハンドル１１０の調整が難しく、ブラシ１２０の方向転換が難しいという問題点がある。
【発明の開示】
【発明が解決しようとする課題】
【０００８】
本発明は、上述の問題点に鑑みてなされたもので、その目的は、キャニスタ型及びアップライト型の兼用で使用可能な多機能真空掃除機を提供することにある。
【０００９】
本発明の他の目的は、本体からハンドル部及びブラシを着脱可能とすることにより、使用者の用途に応じて便利に使用可能な多機能真空掃除機を提供することにある。
【００１０】
本発明のまた他の目的は、本体の上部に形成された第１連結部及びブラシの下部一側から延長された第３連結部を連結するホースを第３連結部から分離し、一端にハンドル部及び多様な吸入装置を付着して、自由な移動及び狭い領域の掃除を可能にする多機能真空掃除機を提供することにある。
【課題を解決するための手段】
【００１１】
上記目的を達成すべく、本発明の一側面に係る多機能真空掃除機は、集塵部及び駆動部を含む本体と、前記本体の上部と分離可能に連結されるハンドル部と、前記本体を支持し、本体から分離可能なるブラシと、を含む。
【００１２】
本発明の他の一側面に係る多機能真空掃除機は、集塵部及び駆動部を含み、上部にホースが連結される第１連結部及びハンドル部が挿入される第２連結部を含む本体と、前記本体の第２連結部に脱付着可能で、使用者が把持するハンドル及び前記本体と連結される前記ホースの他端と連結可能な第４連結部を含むハンドル部と、前記本体と連結された前記ホースの他端と連結される第３連結部を含み、移動を容易にするために下端両側部に車輪が装着されたブラシと、を含む。
【発明の効果】
【００１３】
本発明の多機能真空掃除機によれば、移動が容易で、狭い領域の掃除が便利なキャニスタ型及び広い領域の掃除が容易なアップライト型兼用で使用することができるという効果が得られる。
【００１４】
また、ハンドル部及びブラシを本体に対して着脱可能に構成することにより、使用者が用途に応じて、ハンドル部及び／ブラシを本体から取り外したり、装着したりすることができるため、便利に使用することができるという効果が得られる。
【００１５】
また、本体の上部に形成された第１連結部及びブラシの下部一側から延長された第３連結部に連結されるホースを第３連結部から分離し、一端にハンドル部を付着し、ハンドル部に多様な吸入装置を付着して、自由な移動及び、狭い領域の掃除を可能にするという効果が得られる。
【発明を実施するための最良の形態】
【００１６】
以下、本発明の好ましい実施の形態を、添付図面に基づき詳細に説明する。多様な実施の形態の説明は、本発明の属する技術分野における通常の知識を有する者が本発明をより詳細に理解するために、例として図示及び限定されたのにすぎず、本発明の範囲を制限するものではない。
【００１７】
図２は、本発明の第１実施の形態に係る多機能真空掃除機の正面構成を示す斜視図であり、図３は、本発明の第１実施の形態に係る多機能真空掃除機の背面構成を示す斜視図である。以下、図２及び図３を参照して本発明に係る多機能真空掃除機の構成を具体的に説明する。
【００１８】
図２及び図３に示すように、本発明の多機能真空掃除機は、本体２００と、前記本体２００の上部に連結され、本体２００から着脱可能なハンドル部３００と、本体２００を支持し、本体２００から着脱可能なブラシ４００とを含む。
【００１９】
前記本体２００は、吸入口を通して異物質を集塵する集塵部２０２と、モータを有する駆動部（図示せず）とを含む。前記本体２００の上部には、ホース２０８が連結される第１連結部２０６及び、ハンドル部３００が連結される第２連結部２０７が形成される。
【００２０】
前記集塵部２０２は、本体２００に対して着脱可能に設けられている。集塵部２０２の脱付着を容易にするためにハンドル２０４が設けられている。ハンドル２０４は、好ましく集塵部２０２の長さ方向に延びるようにして形成されている。
【００２１】
また、集塵部２０２の一端には異物質の吸入通路である吸入口が形成され、他端には蓋部が形成される。前記蓋部は、異物質の排出のために開閉構造で形成することができる。本体２００の上部には、ホース２０８と連結される第１連結部２０６及び、ハンドル部３００と連結される第２連結部２０７が形成されている。
【００２２】
第１連結部２０６の一端は集塵部２０２と連結され、他端はホース２０８との連結のために本体２００の上部に突出形成され、その突出部は、ホース２０８が着脱できるように形成されている。第２連結部２０７は、ハンドル部３００の挿入のために一定深さのホール状に形成されており、ハンドル部３００部が挿入されると、ハンドル部３００を固定する。第２連結部２０７は、真空掃除機の移動を便利にし、真空掃除機の性能を向上させるために、第１連結部２０６の後部に並んで形成されることが好ましい。
【００２３】
本体２００をブラシ４００から分離した状態で、本体２００を自由に移動させるために、本体２００の背面には車輪が装着されている。本体２００の下端両側部に第１車輪２０９を形成するとともに、より好ましくは、下端両側部だけでなく上端両側部に第２車輪を形成してもよい。
【００２４】
また、本体２００の下端には、ブラシ４００を着脱可能に装着するための接続部が形成されている。前記接続部をブラシ４００の安着部に安着させることにより、本発明の多機能真空掃除機をアップライト型で使用することができる。前記ハンドル部３００には、使用者の把持及び移動を容易にするために、ハンドル３０２が形成され、本体２００から分離した時にホース２０８と連結するための第４連結部３０３が形成されている。
【００２５】
また、ハンドル部３００には、ハンドル３０２の長さを調節するための調節部３０４が設けられている。調節部３０４は、ハンドル３０２の長さを段階的に調節することができ、一定の長さが決まった場合にその長さを維持できる構造を有する。ハンドル部３００は、真空掃除機をアップライト型で使用しながら移動させる場合に、第２連結部２０７に挿入されて把持可能になり、キャニスタ型で使用する場合には、本体２００から分離されて延長管として使用することができる。
【００２６】
前記ブラシ４００は、上下に分割されるベース４０２とカバー４０４とで構成されている。ベース４０２とカバー４０４は、ねじなどで組み立てられるように構成される。ベース４０２とカバー４０４の間の先端に、柔軟性を有する保護部を形成することにより、衝突時に物体から受ける衝撃を緩和して、ブラシ４００の損傷を防止するのが好ましい。
【００２７】
ブラシ４００の一側には、第３連結部４０６が形成されており、この第３連結部４０６に対して、第１連結部２０６に連結されたホース２０８の他端が連結される。ブラシ４００の自由な移動のために、ブラシ４００の後端両側に第３車輪４０８が形成されている。
【００２８】
また、第３車輪４０８の直径より小さい第４車輪を、ブラシ４００の下端に形成するのが好ましい。第３連結部４０６は、ブラシ４００の一側からブラシ４００の下面の吸入口まで連結されるように形成される。第３連結部４０６の一端は、ホース２０８に対して着脱可能な構造で形成されており、他端は吸入口に連結可能な構造で形成されている。
【００２９】
図４は、本発明の第２実施の形態に係る多機能真空掃除機の正面斜視図である。以下、図４を参照して本発明の第２実施の形態を説明する。
【００３０】
図４に示すように、本発明の第２実施の形態に係る多機能真空掃除機において、本体２００に対してハンドル部３００は着脱可能であり、本体２００上部に形成された第１連結部２０６及びブラシ４００の一側から延長された第３連結部４０６に連結されたホース２０８を第３連結部４０６から分離し、前記分離されたハンドル部３００の第４連結部３０３に、第３連結部４０６から分離したホース２０８の他端を連結して使用することができる。
【００３１】
また、ハンドル部３００の他端は、多様な吸入装置と連結されることができる。本実施の形態では、吸入装置として一般ブラシ型の吸入装置を装着しているが、これに限定されず、刀型ブラシ、ダストブラシなどの吸入装置３０６を使用することができる。ハンドル部３００は、長さ調整が可能な調節部３０４を含むので、延長管として機能する。
【００３２】
本発明の第２実施の形態によれば、本体２００が、ブラシ４００に結合形成され、ホース２０８及びハンドル部３００と連結されて、隅や、テーブルの上など、アップライト型真空掃除機では掃除し難い領域も、簡単に掃除できるという特徴がある。
【００３３】
図５は、本発明に係る多機能真空掃除機の分離された構成を示す斜視図である。以下、図５を参照して、本発明に係る分離された多機能真空掃除機の構造を説明する。
【００３４】
図５に示すように、本発明に係る多機能真空掃除機は、本体２００の上部に形成された第２連結部２０７に挿入されたハンドル部３００を分離し、本体２００が安着されたブラシ４００の安着部４０７から本体２００を分離する。また、ブラシ４００の一側から延長された第３連結部４０６に連結されたホース２０８を分離し、ホース２０８の一端は本体２００の第１連結部２０６に連結され、他端はハンドル部３００の第４連結部３０３と連結される。本体３００は、第１車輪２０９を床の方に向けて、自由に移動できるように構成される。
【００３５】
図６は、本発明の第３実施の形態に係る多機能真空掃除機を示す図である。以下、図６を参照して、本発明の第３実施の形態を説明する。
【００３６】
図６に示すように、本発明の第３実施の形態に係る多機能真空掃除機は、本体２００の上部に挿入されたハンドル部３００を分離し、本体２００を支持するブラシ４００を分離し、本体２００の第１車輪２０９を床の方に向ける。また、本体２００の上部に形成された第１連結部２０６及びブラシ４００の一側から延長された第３連結部４０６に連結されたホース２０８を第３連結部４０６から分離し、分離したハンドル部３００の第４連結部３０３に連結して使用することができる。
【００３７】
ハンドル部３００の第４連結部３０３は、ホース２０８と連結され、他端は多様な吸入装置３０６に連結することができる。本実施の形態では、吸入装置として一般ブラシ型吸入装置を装着しているが、これに限定されず、刀型ブラシ、ダストブラシなどの吸入装置を使用することができる。ハンドル部３００は、長さの調整が可能な調節部を含んで、延長管として機能する。
【００３８】
本発明の第３実施の形態によれば、本体２００がハンドル部３００及びブラシ４００から分離され、ホース２０８及び延長部と連結されて、隅々やテーブルの上などの掃除が容易で、移動及び方向転換などが自由にできるという特徴がある。
【００３９】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００４０】
【図１】従来技術に係るアップライト型多機能真空掃除機を示す図である。
【図２】本発明の第１実施の形態に係る多機能真空掃除機の正面構成を示す斜視図である。
【図３】本発明の第１実施の形態に係る多機能真空掃除機の背面構成を示す斜視図である。
【図４】本発明の第２実施の形態に係る多機能真空掃除機を示す図である。
【図５】本発明に係る多機能真空掃除機の分離された構成を示す斜視図である。
【図６】本発明の第３実施の形態に係る多機能真空掃除機を示す図である。
【符号の説明】
【００４１】
２００     本体
２０２     集塵部
２０４     ハンドル
２０６     第１連結部
２０８     ホース
３００     ハンドル部
３０２     ハンドル
３０３     第４連結部
３０４     調節部
４００     ブラシ
４０２     カバー
４０４     ベース
４０６     第３連結部
【図１】
2008534116.tif 000003
【図２】
2008534116.tif 000004
【図３】
2008534116.tif 000005
【図４】
2008534116.tif 000006
【図５】
2008534116.tif 000007
【図６】
2008534116.tif 000008
【国際調査報告】
2008534116.tif 000009
2008534116.tif 000010